(57)【要約】【課題】再生装置自身が所有している画像と、相手の装置が所有する画像とを表示して比較したり、確認したりする操作を簡単に行うことができるようにする。【解決手段】再生装置１１０の姿勢が変更されると再生装置１１０が所有している画像と通信相手の外部装置１００が所有している画像とを比較表示する。そして、十字キー１１２が再生装置１１０の姿勢に対して画像表示用ディスプレイ３１１よりも上部にあるか下部にあるかを判定し、十字キー１１２が再生装置１１０の姿勢に対して画像表示用ディスプレイ３１１よりも上部にある場合は、通信相手の外部装置１００が所有している画像を制御対象とし、十字キー１１２が再生装置１１０の姿勢に対して画像表示用ディスプレイ３１１よりも下部にある場合は、再生装置１１０が所有している画像を制御対象とする。【選択図】図１
2008158337.tif 000002
【特許請求の範囲】
【請求項１】
外部装置と通信可能な再生装置であって、
前記外部装置から送信された画像データを受信する通信手段と、
前記画像データを表示部に表示する表示手段と、
前記再生装置自身の姿勢を検出する装置姿勢検出手段と、
前記通信手段により受信された画像データを、または前記再生装置自身が有する記憶媒体に記憶されている画像データを前記表示部に表示し、前記装置姿勢検出手段による検出結果に応じて、前記表示部に表示する内容を切り替える表示制御手段と、
前記表示部に表示されている画像の再生指示を行う操作手段とを備えることを特徴とする再生装置。
【請求項２】
前記表示制御手段は、前記装置姿勢検出手段により、横向き姿勢であることを検出されると前記記憶媒体に記憶されている画像データを前記表示部に表示して、縦向き姿勢であることを検出されると前記表示部の画面を分割して前記記憶媒体に記憶されている画像データと前記通信手段により受信された画像データとを前記表示部に同時に表示するように切り替えることを特徴とする請求項１に記載の再生装置。
【請求項３】
前記表示制御手段は、前記装置姿勢検出手段により縦向き姿勢であることを検出されると、前記記憶媒体に記憶されている画像データを前記表示部の下側画面に表示し、前記通信手段により受信された画像データを前記表示部の上側画面に表示することを特徴とする請求項１に記載の再生装置。
【請求項４】
前記表示制御手段は、前記装置姿勢検出手段による検出結果に応じて、前記記憶媒体に記憶されている画像データを表示するか、前記通信手段により受信された画像データを表示するかを切り替えることを特徴とする請求項１に記載の再生装置。
【請求項５】
前記装置姿勢検出手段は、前記再生装置自身の姿勢が横向きの姿勢であるか縦向きの姿勢であるかを検出し、さらに、縦向きの姿勢である場合は、前記操作手段と前記表示部との位置関係を検出することを特徴とする請求項１に記載の再生装置。
【請求項６】
前記表示制御手段は、前記外部装置に対応するメニュー画面または設定画面のうち、少なくとも１つの画面を前記表示部に表示することを特徴とする請求項１〜３の何れか１項に記載の再生装置。
【請求項７】
前記通信手段は、前記外部装置に対応するメニュー画面または設定画面のうち、少なくとも１つの画面を前記外部装置から受信することを特徴とする請求項１〜３の何れか１項に記載の再生装置。
【請求項８】
前記通信手段により受信された画像データが前記表示制御手段によって前記表示部に表示されている場合において、ユーザによって前記操作手段が操作されることにより前記外部装置を制御する外部装置制御手段を有することを特徴とする請求項１〜３の何れか１項に記載の再生装置。
【請求項９】
前記表示制御手段は、前記装置姿勢検出手段により縦向き姿勢であることを検出されると、前記装置姿勢検出手段により検出された前記操作手段の位置に応じて再生対象の画像データを決定することを特徴とする請求項１〜３の何れか１項に記載の再生装置。
【請求項１０】
前記装置姿勢検出手段は、前記装置姿勢検出手段の検出結果に応じて、前記操作手段の機能を切り替えることを特徴とする請求項１〜３の何れか１項に記載の再生装置。
【請求項１１】
外部装置と通信可能な再生装置の制御方法であって、
前記外部装置から送信された画像データを受信する通信工程と、
前記再生装置自身の姿勢を検出する装置姿勢検出工程と、
前記通信工程において受信された画像データまたは記憶媒体に記憶されている画像データを表示部に表示し、前記装置姿勢検出工程における検出結果に応じて、前記表示部に表示する内容を切り替え、前記表示部に表示されている画像の再生指示を行う操作手段が操作されることに応じて、前記表示部に表示される画像の再生を行う表示制御工程とを備えることを特徴とする再生装置の制御方法。
【請求項１２】
外部装置から送信された画像データを受信する通信工程と、
再生装置自身の姿勢を検出する装置姿勢検出工程と、
前記通信工程において受信された画像データまたは記憶媒体に記憶されている画像データを表示部に表示し、前記装置姿勢検出工程における検出結果に応じて、前記表示部に表示する内容を切り替え、前記表示部に表示されている画像の再生指示を行う操作手段が操作されることに応じて、前記表示部に表示される画像の再生を行う表示制御工程とをコンピュータに実行させることを特徴とするプログラム。
【発明の詳細な説明】
【技術分野】
【０００１】
本発明は再生装置、再生装置の制御方法及びプログラムに関し、特に、デジタルカメラ等の再生装置が通信手段を介して他の画像処理装置が所有する画像を再生する際の操作性を向上させるために用いて好適な技術に関する。
【背景技術】
【０００２】
デジタルカメラの急速な普及に伴い、電子化された画像データを知り合い同士で共有する機会が増えてきている。さらに近年では、無線ＬＡＮなどの無線通信機能を搭載するデジタルカメラが登場している。このようなデジタルカメラは、アドホックモードと呼ばれる接続形態によって電子機器同士でデータのやり取りを可能とし、これにより、デジタルカメラやストレージ間で画像を交換する機会が増えている。
【０００３】
例えば運動会では、複数のユーザにより撮影された画像がそれぞれの撮像装置に散在する。このような状況において、他の撮像装置が所有する画像を閲覧したり画像交換したりしたいという要求がある。
【０００４】
他の画像処理装置から受信した画像の操作に関する先行技術としては、まず、通信相手の装置から受信した画像と再生装置自身が所有している画像とを同一画面上に配置したレイアウト情報を作成する。そして、このレイアウト上で通信相手の装置から受信した画像をカーソルメニューから選択すると通信相手を遠隔操作して操作結果を表示する通信装置が提案されている（例えば、特許文献１参照）。
【０００５】
【特許文献１】特開２００２−３７４５０８号公報
【発明の開示】
【発明が解決しようとする課題】
【０００６】
画像交換を行う場合には、通信相手の装置が所有している画像内容を確認しながら、再生装置自身が所有していない画像を選択したり、再生装置自身が所有している画像と同一被写体、同一シーンの画像が有れば、より綺麗に写っている画像を選択したりすることが可能となる。このような場合には、相手の装置が所有している画像と再生装置自身が所有している画像との比較を行うために、例えば、所定の時間毎に通信を行って画像を表示するようにすることが考えられる。しかしながら、このようにすると、相手の装置が所有している画像と再生装置自身が所有している画像とで再生対象の切り替えが頻繁に発生してしまう。
【０００７】
このような不都合を回避するために、例えば前記特許文献１に記載の発明においては、１画面に相手の画像を表示してカーソル操作によって制御対象を決定するようにしている。しかしながら、この場合においても、画像内容比較のために一方の画像再生をした後、他方の画像再生を行おうとすると、その度に制御切り替え用のメニューを表示しなければならなかった。そのため、相手の装置が所有している画像と再生装置自身が所有している画像との比較作業をシーケンシャルに行うことができず、操作が煩雑化してしまうという問題点があった。
【０００８】
本発明は前述の問題点に鑑み、再生装置自身が所有している画像と、相手の装置が所有する画像とを表示して比較したり、確認したりする操作を簡単に行うことができるようにすることを目的としている。
【課題を解決するための手段】
【０００９】
本発明の再生装置は、外部装置と通信可能な再生装置であって、前記外部装置から送信された画像データを受信する通信手段と、前記画像データを表示部に表示する表示手段と、前記再生装置自身の姿勢を検出する装置姿勢検出手段と、前記通信手段により受信された画像データを、または前記再生装置自身が有する記憶媒体に記憶されている画像データを前記表示部に表示し、前記装置姿勢検出手段による検出結果に応じて、前記表示部に表示する内容を切り替える表示制御手段と、前記表示部に表示されている画像の再生指示を行う操作手段とを備えることを特徴とする。
【００１０】
本発明の再生装置の制御方法は、外部装置と通信可能な再生装置の制御方法であって、前記外部装置から送信された画像データを受信する通信工程と、前記再生装置自身の姿勢を検出する装置姿勢検出工程と、前記通信工程において受信された画像データまたは記憶媒体に記憶されている画像データを表示部に表示し、前記装置姿勢検出工程における検出結果に応じて、前記表示部に表示する内容を切り替え、前記表示部に表示されている画像の再生指示を行う操作手段が操作されることに応じて、前記表示部に表示される画像の再生を行う表示制御工程とを備えることを特徴とする。
【００１１】
本発明のプログラムは、外部装置から送信された画像データを受信する通信工程と、再生装置自身の姿勢を検出する装置姿勢検出工程と、前記通信工程において受信された画像データまたは記憶媒体に記憶されている画像データを表示部に表示し、前記装置姿勢検出工程における検出結果に応じて、前記表示部に表示する内容を切り替え、前記表示部に表示されている画像の再生指示を行う操作手段が操作されることに応じて、前記表示部に表示される画像の再生を行う表示制御工程とをコンピュータに実行させることを特徴とする。
【発明の効果】
【００１２】
本発明によれば、再生装置自身の姿勢に応じて、表示部に表示する内容を切り替えるようにした。したがって、再生装置自身が所有している画像と、相手の装置が所有する画像とを表示して比較したり、確認したりする操作を簡単に行うことができる。
【発明を実施するための最良の形態】
【００１３】
（第１の実施形態）
以下、本発明の好適な実施形態について、図面を参照しながら詳細に説明する。
図２を参照しながら、本実施形態に係る再生装置の構成例を説明する。
本実施形態の再生装置は、ＣＰＵ２１０と、システム記憶部２２０と、メモリカードコントローラ２３０と、ＩＯ２４０と、表示制御部２５０と、通信制御部２６０と、内部メモリコントローラ２７０と、姿勢検出部２００とを備えている。これらはデータバス２８０を介して互いに接続されている。
【００１４】
装置姿勢検出手段である姿勢検出部２００は、縦横センサーなどで構成され、再生装置が横向きであるか縦向きであるかを検出する。さらに、縦向きの場合には、再生装置の保持姿勢に対して、操作部２４２がディスプレイ２５２よりも下側にあるか上側にあるかなどについての位置関係を検出する。検出した結果は操作部２４２及び表示制御部２５０へ通知される。ディスプレイ２５２は、画像データを画像化して表示画面に画像として表示する表示手段として機能する。
【００１５】
ＣＰＵ２１０は、システム記憶部２２０が記憶するプログラムに従って画像再生シーケンスや画像受信、保存シーケンスを制御する。システム記憶部２２０はフラッシュメモリなどで構成されている。
【００１６】
メモリカードコントローラ２３０は、記憶媒体であるメモリカード２３２にコマンド発行を転送したり、及び通信制御部２６０により受信された画像データを転送したりするように構成されている。なお、ソケット２３１は、ＣＦメモリやＳＤメモリなどのメモリカード２３２を着脱可能とする。
【００１７】
モードスイッチ２４１、及び操作部材（操作手段）として機能する操作部２４２は、ＩＯ２４０に接続されている。モードスイッチ２４１の操作によって、本実施形態の表示形態・再生対象の自動切り替えを有効にするかどうかを決定する。操作部２４２は、例えば、十字キーなどであり、制御対象の画像の再生指示を行い、再生操作を実現する。本実施形態では、姿勢検出部２００で検出される装置の向きに応じて操作部２４２に割り当てられる機能が切り替わる。その様子については後述する。
【００１８】
表示制御手段である表示制御部２５０は、ＤＲＡＭ２７１から画像データを読み出し、これをＤＡコンバータ２５１を介してディスプレイ２５２に出力する。その際、姿勢検出部２００から入力される姿勢検出の信号（検出結果）によって、ディスプレイ２５２への画像表示形態を変更する。この表示形態の自動切り替えの様子については後述する。
【００１９】
外部装置制御手段と通信手段とを有する通信制御部２６０は、通信コネクタ２６１と接続されており、制御命令を伝達するためのコマンドの発行及び画像データの受信を行う。例えば、通信可能な外部装置に対して画像データの取得要求コマンドを発行し、外部装置を制御する。通信コネクタ２６１は、例えば、無線ＬＡＮにおけるアンテナ部である。通信制御部２６０により受信された画像データはいったんＤＲＡＭ２７１に格納される。
【００２０】
内部メモリコントローラ２７０は、データバス２８０からＤＲＡＭ２７１へのアクセス要求を受け、これを調停しながらＤＲＡＭ２７１へのアクセス信号を生成する。そして、ＤＲＡＭ２７１へデータの書き込みを実行したり、ＤＲＡＭ２７１からデータの読み出しを実行したりする。データバス２８０は、通信制御部２６０や表示制御部２５０からの要求に応じて画像データを伝送する。
【００２１】
次に、図３を参照しながら本実施形態の再生装置の外観について説明する。
図３において、１１０は、本実施形態の再生装置である。３１１は、本実施形態の再生装置１１０が備える画像表示用ディスプレイ（表示部）である。また、１１２は、本実施形態の再生装置１１０が備える画像表示用ディスプレイ３１１の右隣に配置された十字キーであり、ユーザによる表示画像の再生制御の指示を入力する。３１３は、本実施形態の再生装置１１０が備える無線通信用のアンテナである。
【００２２】
次に、図１に示す概要図を参照しながら本実施形態における再生装置１１０の動作について説明する。本実施形態の再生装置１１０は無線通信用アンテナ３１３を介して、例えば、デジタルカメラなどの画像処理装置（外部装置）１００と通信を行う。
【００２３】
まず、図１（ａ）に再生装置１１０が横向きである場合について説明する。再生装置１１０が横向きの場合には、画像表示領域１１１に通信相手の画像を表示せず、再生装置１１０内のメモリカード２３２に保存されている画像データを画像化した画像１１３を表示する。なお、表示される画像の操作（画像送り／戻りなどの操作）は、操作部２４２の一形態である十字キー１１２を介して指示される。
【００２４】
図１（ａ）に示す状態から図示する方向へ再生装置１１０を９０度回転して、再生装置１１０を縦向きにした場合について図１（ｂ）に示す。まず、姿勢検出部２００は、再生装置１１０が縦向きであることを検出すると、画像表示用ディスプレイ３１１の画像表示領域１１１を上側の画像表示領域１２１と下側の画像表示領域１２２との２つの領域に分割する。
【００２５】
そして、分割した画像表示領域のうち再生装置１１０の姿勢に対して下側の画像表示領域１２２には、再生装置１１０内のメモリカード２３２に保存されている画像データを画像化して表示する。そして、再生装置１１０の姿勢に対して上側の画像表示領域１２１には通信相手の外部装置１００から受信された画像データを画像化して表示する。
【００２６】
また、姿勢検出部２００は、十字キー１１２が再生装置１１０の姿勢に対して画像表示用ディスプレイ３１１よりも下部にあることを検出する。本実施形態では、画像表示領域１１１を分割表示した状況においては、姿勢検出部２００が、２つの表示画像のうち操作部材に近い側の画像を特定し、十字キー１１２によりユーザの再生操作を受け付ける。
【００２７】
したがって、図１（ｂ）に示す姿勢では、下側の画像表示領域１２２に表示された画像を保有している装置、すなわち再生装置１１０自身が再生制御対象装置となる。例えば、十字キー１１２がユーザから向かって右ボタンを押下されると、再生装置１１０のメモリカード２３２から次に表示させるための画像データを読み出し、下側の画像表示領域１２２の表示内容を更新する。
【００２８】
図１（ｂ）に示す状態からさらに図示する方向へ再生装置１１０を１８０度回転して再生装置１１０を縦向きにした場合について図１（ｃ）に示す。なお、この姿勢変更は連続的に行われ、途中横向きになった段階では表示形態を切り替えないものとする。
【００２９】
本実施形態では、姿勢検出部２００は、再生装置１１０が縦方向の姿勢であることを検出すると、その方向が図１（ｂ）または図１（ｃ）に示すいずれの向きであったとしても、表示制御部２５０に姿勢情報を通知する。表示制御部２５０は、画像表示領域１１１を分割して再生装置１１０の姿勢に対して下側の画像表示領域に再生装置１１０内の画像を表示する。そして、再生装置１１０の姿勢に対して上側の画像表示領域には通信相手の外部装置１００から受信された画像データを画像化して表示する。
【００３０】
すなわち、図１（ｂ）に示す状態から図１（ｃ）に示すように縦位置の向きが変更されると、再生装置１１０内のメモリカード２３２に保存されている画像データに基づく画像を表示していた下側の画像表示領域１２２は、通信相手の外部装置１００から受信された画像データに基づく画像を表示する領域として使用するように切り替える。
【００３１】
さらに、姿勢検出部２００は、十字キー１１２が再生装置１１０の姿勢に対して画像表示用ディスプレイ３１１よりも上部にあることを検出する。前述したように、表示画像のうち操作部材に近い側の画像を再生するため、図１（ｃ）に示す姿勢では、上側の画像表示領域１３１に表示された画像を有している装置、すなわち通信相手の外部装置１００が再生制御対象装置となる。
【００３２】
また、姿勢検出部２００は、検出した再生装置１１０の姿勢情報を操作部２４２へ通知する。これにより、操作部２４２は、通知された再生装置１１０の姿勢情報を基に、図１（ｂ）に示す状態と図１（ｃ）に示す状態とにおける十字キー１１２に割り振られる機能の意味付けが変更される。
【００３３】
例えば、図１（ｂ）に示す状態においては、十字キー１１２の右ボタンは次の画像を表示させる機能を提供するが、図１（ｃ）の状態においては、十字キー１１２では左ボタンに相当するので、ユーザに１つ前の画像を表示する機能を提供するように変更する。このように、図１（ｂ）及び図１（ｃ）で操作部材が同一であってもユーザに提供する機能が異なるようにする。
【００３４】
また、再生制御対象となる装置をユーザに判別させるために、画像に識別表示を行ってもよい。例えば、図１（ｂ）に示す場合には下側の画像表示領域１２２を太枠で強調表示したり、特別なアイコンを表示したりしてもよい。また、逆に図１（ｃ）に示す場合には上側の画像表示領域１３１を太枠で強調表示したり、特別なアイコンを表示したりしてもよい。
【００３５】
次に、図４に示すフローチャートを参照しながら、本実施形態の再生操作の処理手順について説明する。
まず、ステップＳ１０００において、本実施形態の再生装置１１０が所有する画像と通信相手の外部装置１００が所有する画像とを比較再生する処理を開始する。
【００３６】
次に、ステップＳ１０１０において、通信制御部２６０は、画像データを保持する外部装置１００とコネクトしているかどうかをチェックする。このチェックの結果、外部装置１００とコネクトしていない場合には、ステップＳ１０１１に進む。一方、ステップＳ１０１０のチェックの結果、外部装置１００とコネクトしている場合は、ステップＳ１０２０に進む。
【００３７】
本実施形態では、以下に説明するように再生装置１１０の姿勢変化をトリガーにして表示内容を切り替えるものであるが、ステップＳ１０１１では通信相手が存在しない。このため、ステップＳ１０１１において、表示制御部２５０は、姿勢検出部２００から入力される姿勢情報によらず再生装置１１０が所有する画像のみを表示し、通信相手とのコネクトを待つ。
【００３８】
一方、ステップＳ１０２０において、姿勢検出部２００は、再生装置１１０の姿勢が縦向きであるかどうかをチェックする。このチェックの結果、姿勢検出部２００が縦向き姿勢を検出しない場合は、ステップＳ１０２１に進む。一方、ステップＳ１０２０のチェックの結果、姿勢検出部２００が縦向き姿勢を検出した場合は、ステップＳ１０２５に進む。
【００３９】
次に、ステップＳ１０２１において、表示制御部２５０は、ディスプレイ２５２の画面の全体領域を使用して、再生装置１１０が所有する画像の表示を開始する。なお、当該ステップにより再生装置１１０が所有する画像の表示中においてもステップＳ１０２０に戻り、姿勢検出部２００は、縦向き姿勢検出のチェックを行う。
【００４０】
一方、縦向き姿勢であった場合には、ステップＳ１０２５において、姿勢検出部２００は、再生装置１１０が図１（ｂ）に示す方向であるか図１（ｃ）に示す方向であるかを検出する。これは後述する画面分割時の表示内容を決定する際に必要な情報である。次に、ステップＳ１０３０において、通信制御部２６０は、通信相手の外部装置１００に対する外部装置１００が所有する画像データの取得要求コマンド、すなわちＰＵＬＬコマンドを発行し、外部装置１００に送信する。
【００４１】
なお、通信相手の外部装置１００は、ステップＳ１０３０で発行された再生装置１１０による画像データの取得要求コマンドを受信して、通信相手の外部装置１００に閲覧可能な画像データがあるかどうかをチェックする。そして画像データの有無をチェックし、結果を示すコマンドを再生装置１１０に返す。
【００４２】
次に、ステップＳ１０４０において、通信制御部２６０は、結果を示すコマンドを受信し、コマンドを解析して通信相手の外部装置１００に閲覧可能な画像データがあるかどうかをチェックする。このチェックの結果、閲覧可能な画像データが外部装置１００にない場合は、ステップＳ１０４１に進む。一方、ステップＳ１０４０のチェックの結果、閲覧可能な画像データが外部装置１００にある場合は、ステップＳ１０４５に進む。
【００４３】
ステップＳ１０４１において、通信制御部２６０は、通信相手の外部装置１００に対して、撮像処理などにより閲覧可能な画像データが生成された場合に、再生装置１１０に画像データ生成イベントを通知するように依頼する。次に、ステップＳ１０４２において、通信制御部２６０が通信相手の外部装置１００から画像を取得できなかったため、表示制御部２５０は、再生装置１１０が所有する画像のみを表示する。すなわち、姿勢検出部２００が縦向きである姿勢情報を入力していたにも拘らず、表示制御部２５０は再生装置１１０が所有する画像のみを表示することになる。
【００４４】
次に、ステップＳ１０４３において、通信制御部２６０は、通信相手の外部装置１００が当該再生装置１１０に対してステップＳ１０４１で依頼した画像データ生成イベントを発行し、この画像データ生成イベントを受信したかどうかをチェックする。このチェックの結果、通信制御部２６０が画像データ生成イベントを受信した場合は、ステップＳ１０４４に進む。一方、ステップＳ１０４３のチェックの結果、通信制御部２６０が画像データ生成イベントを受信していない場合は、ステップＳ１０４２に戻り、表示制御部２５０は再生装置１１０が所有する画像の表示を継続する。
【００４５】
次に、ステップＳ１０４４において、通信制御部２６０は、ステップＳ１０３０と同様に、通信相手の外部装置１００に対して、外部装置１００が所有している閲覧可能な画像データの取得要求を行う。次に、ステップＳ１０４５において、通信制御部２６０は、ステップＳ１０４４またはステップＳ１０３０における画像データの取得要求に応じて通信相手の外部装置１００が送信した閲覧可能な画像データを受信する。なお、この時、外部装置１００に対応するメニュー画面または設定画面の画像データも同時に受信する。メニュー画面の画像データ及び設定画面の画像データを両方受信するようにしてもよい。
【００４６】
次に、ステップＳ１０４６において、表示制御部２５０は、再生装置１１０が所有する画像データに基づく画像とステップＳ１０４５で受信した通信相手の外部装置１００が所有する画像とを比較再生する処理を行う。この分割比較再生処理については後述する。なお、当該ステップの分割比較再生処理により再生された画像の表示中においても、ステップＳ１０２０に戻り、姿勢検出部２００は、縦向き姿勢検出のチェックを行う。
【００４７】
以下、ステップＳ１０４６により開始された分割比較再生処理について、図５に示すフローチャートを参照しながら説明する。
まず、ステップＳ２０００において、分割比較再生処理を開始する。次に、ステップＳ２０１０において、表示制御部２５０は、再生装置１１０の画像表示領域１１１を２分割する。そして、ステップＳ１０２５で姿勢検出部２００が検出した姿勢情報に従い、分割した画面の上下関係情報を取得する。
【００４８】
次に、ステップＳ２０２０において、表示制御部２５０は、ステップＳ２０１０で取得した上下関係情報に基づいて上側画面領域と判断した領域に、ステップＳ１０４５で受信した通信相手の外部装置１００が所有する画像を表示する。次に、ステップＳ２０３０において、表示制御部２５０は、ステップＳ２０１０で取得した上下関係情報に基づいて下側画面領域と判断した領域に、再生装置１１０が所有している画像を表示する。
【００４９】
次に、ステップＳ２０４０において、姿勢検出部２００は、十字キー１１２が再生装置１１０の姿勢に対して画像表示用ディスプレイ３１１よりも上部にあるか下部にあるかを判定する。この判定の結果、再生装置１１０が図１（ｂ）に示す姿勢であり、十字キー１１２が再生装置１１０の姿勢に対して画像表示用ディスプレイ３１１よりも下部にある場合は、ステップＳ２０４１に進む。一方、ステップＳ２０４０の判定の結果、再生装置１１０が図１（ｃ）に示す姿勢であり、十字キー１１２が再生装置１１０の姿勢に対して画像表示用ディスプレイ３１１よりも上部にある場合は、ステップＳ２０４３に進む。
【００５０】
次に、ステップＳ２０４１においては、再生装置１１０の姿勢は図１（ｂ）に示す姿勢であり、十字キー１１２が画像表示用ディスプレイ３１１に対して下側に存在する。この場合、十字キー１１２に近い下側の画像表示領域１２２には再生装置１１０が所有している画像が表示されていることから、当該ステップでは再生装置１１０が所有している画像が制御対象となる。そこで、当該ステップにおいて、ＩＯ２４０は、ユーザにより十字キー１１２が操作されて画像送り、画像戻りなど再生操作イベントが発生したかどうかをチェックする。このチェックの結果、再生操作イベントが発生していない場合は、再生操作イベントが発生するまで待機する。一方、ステップＳ２０４１のチェックの結果、再生操作イベントが発生した場合は、ステップＳ２０４２に進む。
【００５１】
次に、ステップＳ２０４２において、表示制御部２５０は、ステップＳ２０４１で発生した再生操作イベントに対応した再生処理を実施する。例えば、図１（ｂ）に示す十字キー１１２のうち、ユーザから向かって右ボタンが押下されると、再生装置１１０のメモリカード２３２に記録されている画像データの中から、次に表示させるための画像データを読み出し、その画像データに基づく画像を表示する。
【００５２】
一方、ステップＳ２０４３においては、再生装置１１０の姿勢は図１（ｃ）に示す姿勢であって、十字キー１１２が画像表示用ディスプレイ３１１に対して上側に存在する。この場合、十字キー１１２に近い上側の画像表示領域１３１には通信相手の外部装置１００が所有している画像が表示されていることから、当該ステップでは通信相手の外部装置１００が所有している画像が制御対象となる。このとき、表示制御部２５０は、上側の画像表示領域１３１には画像の他に、同時に受信した通信相手の外部装置１００に対応したメニュー画面を表示させる。
【００５３】
次に、ステップＳ２０４４において、ＩＯ２４０は、ユーザにより十字キー１１２によるメニュー画面操作が処理され、画像送り、画像戻りなど再生操作イベントが発生したかどうかをチェックする。このチェックの結果、再生操作イベントが発生していない場合は、再生操作イベントが発生するまで待機する。一方、ステップＳ２０４４のチェックの結果、再生操作イベントが発生した場合は、ステップＳ２０４５に進む。
【００５４】
次に、ステップＳ２０４５において、通信制御部２６０は、ステップＳ２０４４で発生した再生操作イベントに対応した再生処理コマンドを通信相手の外部装置１００へ通知する。例えば、図１（ｃ）に示す十字キー１１２の右ボタンがユーザにより押下されると、通信制御部２６０は、画像送りコマンドを通信相手の外部装置１００へ通知する。そして、通信相手の外部装置１００側ではこのコマンドを受信して外部装置１００が所有する画像から次の画像データを読み出し、再生装置１１０へ送信する。
【００５５】
次に、ステップＳ２０４６において、通信制御部２６０は、通信相手の外部装置１００から画像データを受信して、表示制御部２５０は上側の画像表示領域１３１の画像表示を更新する。
【００５６】
以上により本実施形態においては、再生装置１１０の姿勢が変更されると再生装置１１０が所有している画像と通信相手の外部装置１００が所有している画像とを比較表示する。これにより、再生装置１１０の十字キー１１２の位置に応じた再生制御対象の切り替えを容易に実現することができる。
【００５７】
（本発明に係る他の実施形態）
前述した本発明の実施形態における再生装置を構成する各手段、並びに再生装置の制御方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５８】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００５９】
なお、本発明は、前述した実施形態の機能を実現するソフトウェアのプログラム（実施形態では図４、５に示すフローチャートに対応したプログラム）を、システムまたは装置に直接、または遠隔から供給する。そして、そのシステムまたは装置のコンピュータが前記供給されたプログラムコードを読み出して実行することによっても達成される場合を含む。
【００６０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６１】
その場合、プログラムの機能を有していれば、オブジェクトコード、インタプリタにより実行されるプログラム、ＯＳに供給するスクリプトデータ等の形態であってもよい。
【００６２】
プログラムを供給するための記録媒体としては、例えば、フロッピー（登録商標）ディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００６３】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００６４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６５】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６６】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００６７】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６８】
【図１】本発明の実施形態における再生装置の表示画面の概要を示す図である。
【図２】本発明の実施形態における再生装置の構成例を示すブロック図である。
【図３】本発明の実施形態における再生装置の外観の一例を示す図である。
【図４】本発明の実施形態における再生操作手順の一例を示すフローチャートである。
【図５】本発明の実施形態における分割比較再生処理の手順の一例を示すフローチャートである。
【符号の説明】
【００６９】
１００  画像処理装置（外部装置）
１１０  再生装置
１１２  十字キー
２００  姿勢検出部
２１０  ＣＰＵ
２２０  システム記憶部
２３０  メモリカードコントローラ
２３１  ソケット
２３２  メモリカード
２４０  ＩＯ
２４１  モードスイッチ
２４２  操作部
２５０  表示制御部
２５１  ＤＡコンバータ
２５２  ディスプレイ
２６０  通信制御部
２６１  通信コネクタ
２７０  内部メモリコントローラ
２７１  ＤＲＡＭ
２８０  データバス
３１１  画像表示用ディスプレイ
３１３  無線通信用アンテナ
【図１】
2008158337.tif 000003
【図２】
2008158337.tif 000004
【図３】
2008158337.tif 000005
【図４】
2008158337.tif 000006
【図５】
2008158337.tif 000007